(57)【要約】【課題】  高輝度グレーレベル表示の反射モードを提供するのみならず、高彩度表示の透過モードを提供し、並びに電源節約及び使用に便利な機能を具備したデュアル表示モードの液晶ディスプレイの提供。【解決手段】  平行に配置された上下の透明基板を具え、該上下の透明基板の間に順に液晶層、半反射層、カラーフィルタが設けられ、別に上下の偏光板が上下の透明基板の外表面に設置され、カラーフィルタの上方に半反射層が設置されたことにより、反射率が高められる。【選択図】        図２
2005092180.tif 000002
【特許請求の範囲】
【請求項１】
反射モードと透過モードの表示を提供するデュアル表示モードの液晶ディスプレイにおいて、該液晶ディスプレイは、上、下透明基板と、半反射層と、カラーフィルタと、上、下偏光板と、バックライトモジュールと、を具え、
該上、下透明基板は、相互に平行に離間配置され、上、下透明基板の間に液晶層が設けられ、
該半反射層は、該液晶層と該下透明基板の間に設置され、
該カラーフィルタは、該半反射層と該下透明基板の間に配置され、
該上、下偏光板は、それぞれ該上、下透明基板の外表面に位置し、
該バックライトモジュールは、該カラーフィルタのバックライト位置に設けられたことを特徴とする、デュアル表示モードの液晶ディスプレイ。
【請求項２】
請求項１記載のデュアル表示モードの液晶ディスプレイにおいて、液晶層が第１透明導電層、液晶分子層、第２透明導電層を具えたことを特徴とする、デュアル表示モードの液晶ディスプレイ。
【請求項３】
請求項１記載のデュアル表示モードの液晶ディスプレイにおいて、透明基板がガラスとされたことを特徴とする、デュアル表示モードの液晶ディスプレイ。
【請求項４】
請求項１記載のデュアル表示モードの液晶ディスプレイにおいて、個別の表示カラーブロックを駆動する主動駆動素子を具えたことを特徴とする、デュアル表示モードの液晶ディスプレイ。
【請求項５】
請求項１記載のデュアル表示モードの液晶ディスプレイにおいて、液晶層に超ねじれネマティック（ＳＴＮ）、ねじれネマティック（ＴＮ）、或いはバイネマティック（ＢｉＮｅｍ）構造が採用されたことを特徴とする、デュアル表示モードの液晶ディスプレイ。
【請求項６】
請求項１記載のデュアル表示モードの液晶ディスプレイにおいて、半反射層の反射率が１５％から９５％の間とされたことを特徴とする、デュアル表示モードの液晶ディスプレイ。
【請求項７】
請求項１記載のデュアル表示モードの液晶ディスプレイにおいて、半反射層に更に複数の第１オープンウインドウが開設されたことを特徴とする、デュアル表示モードの液晶ディスプレイ。
【請求項８】
請求項７記載のデュアル表示モードの液晶ディスプレイにおいて、カラーフィルタの下方に反射層が設けられ、且つ該反射層に第１オープンウインドウに対応する第２オープンウインドウが開設されたことを特徴とする、デュアル表示モードの液晶ディスプレイ。
【請求項９】
請求項１記載のデュアル表示モードの液晶ディスプレイにおいて、反射モードはグレーレベル表示を提供し、透過モードはカラー表示を提供することを特徴とする、デュアル表示モードの液晶ディスプレイ。
【請求項１０】
請求項１記載のデュアル表示モードの液晶ディスプレイにおいて、二つの位相差補償片を具え、該位相差補償片は上、下偏光板と二つの透明基板の間にそれぞれ設置されたことを特徴とする、デュアル表示モードの液晶ディスプレイ。
【請求項１１】
請求項２記載のデュアル表示モードの液晶ディスプレイにおいて、第１配向層と第２配向層を更に具え、該第１配向層が第１透明導電層と液晶層の間に位置し、第２配向層が第２透明導電層と液晶層の間に位置することを特徴とする、デュアル表示モードの液晶ディスプレイ。
【請求項１２】
請求項２記載のデュアル表示モードの液晶ディスプレイにおいて、第２透明導電層とカラーフィルタの間に位置する被覆層を具えたことを特徴とする、デュアル表示モードの液晶ディスプレイ。
【請求項１３】
請求項１１記載のデュアル表示モードの液晶ディスプレイにおいて、半反射層が第２配向層と第２透明導電層の間に位置することを特徴とする、デュアル表示モードの液晶ディスプレイ。
【請求項１４】
請求項１２記載のデュアル表示モードの液晶ディスプレイにおいて、半反射層が被覆層と第２透明導電層の間に位置することを特徴とする、デュアル表示モードの液晶ディスプレイ。
【請求項１５】
請求項７記載のデュアル表示モードの液晶ディスプレイにおいて、複数の第１オープンウインドウを具えた半反射層が第２透明導電層と第２配向層の間に位置することを特徴とする、デュアル表示モードの液晶ディスプレイ。
【請求項１６】
請求項７記載のデュアル表示モードの液晶ディスプレイにおいて、複数の第１オープンウインドウを具えた半反射層が第２透明導電層と被覆層の間に位置することを特徴とする、デュアル表示モードの液晶ディスプレイ。
【請求項１７】
請求項７記載のデュアル表示モードの液晶ディスプレイにおいて、半反射層が多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）とされことを特徴とする、デュアル表示モードの液晶ディスプレイ。
【請求項１８】
請求項７記載のデュアル表示モードの液晶ディスプレイにおいて、複数の第１オープンウインドウを具えた半反射層がカラーフィルタと下透明基板の間に位置することを特徴とする、デュアル表示モードの液晶ディスプレイ。
【請求項１９】
請求項１８記載のデュアル表示モードの液晶ディスプレイにおいて、半反射層が多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）とされことを特徴とする、デュアル表示モードの液晶ディスプレイ。
【請求項２０】
請求項１８記載のデュアル表示モードの液晶ディスプレイにおいて、カラーフィルタが半反射層の複数の第１オープンウインドウと交錯するよう配置された複数のカラーブロック開口を具えたことを特徴とする、デュアル表示モードの液晶ディスプレイ。
【請求項２１】
反射モードと透過モードの表示を提供するデュアル表示モードの液晶ディスプレイにおいて、上、下透明基板と、半反射層と、カラーフィルタと、上、下偏光板と、バックライトモジュールとを具え、
該上、下透明基板は、相互に平行に離間配置され、上、下透明基板の間に液晶層が設けられ、
該半反射層は、該液晶層と該下透明基板の間に設置され、
該カラーフィルタは、該液晶層と該上透明基板の間に配置され、
該上、下偏光板は、それぞれ該上、下透明基板の外表面に位置し、
該バックライトモジュールは、該カラーフィルタのバックライト位置に設けられたことを特徴とする、デュアル表示モードの液晶ディスプレイ。
【請求項２２】
請求項２１記載のデュアル表示モードの液晶ディスプレイにおいて、半反射層が複数の第１開口を具えたことを特徴とする、デュアル表示モードの液晶ディスプレイ。
【請求項２３】
請求項２１記載のデュアル表示モードの液晶ディスプレイにおいて、カラーフィルタが複数のカラーブロック開口を具え、該カラーブロック開口は半反射層の第１開口に対応し並びにそれと交錯するように配置されたことを特徴とする、デュアル表示モードの液晶ディスプレイ。
【請求項２４】
請求項２１記載のデュアル表示モードの液晶ディスプレイにおいて、透明基板がガラスとされたことを特徴とする、デュアル表示モードの液晶ディスプレイ。
【請求項２５】
請求項２１記載のデュアル表示モードの液晶ディスプレイにおいて、液晶層に超ねじれネマティック（ＳＴＮ）、ねじれネマティック（ＴＮ）、或いはバイネマティック（ＢｉＮｅｍ）構造が採用されたことを特徴とする、デュアル表示モードの液晶ディスプレイ。
【請求項２６】
請求項２１記載のデュアル表示モードの液晶ディスプレイにおいて、半反射層の反射率が１５％から９５％の間とされたことを特徴とする、デュアル表示モードの液晶ディスプレイ。
【請求項２７】
請求項２１記載のデュアル表示モードの液晶ディスプレイにおいて、反射モードはグレーレベル表示を提供し、透過モードはカラー表示を提供することを特徴とする、デュアル表示モードの液晶ディスプレイ。
【発明の詳細な説明】
【技術分野】
【０００１】
本発明は一種の液晶ディスプレイ（ＬＣＤ）に係り、特に、半反射式ＬＣＤモジュールであって、グレーレベル及びカラーの二つの表示モードの高輝度及び高彩度の要求を達成したデュアル表示モードの液晶ディスプレイに関する発明である。
【背景技術】
【０００２】
周知の半反射式カラー液晶ディスプレイは、反射モード下では外界環境の光線反射を利用して表示し、透過モード下ではバックライトモジュールの提供するバックライトを組み合わせることで透過式表示を行なう。
【０００３】
周知の半反射式液晶ディスプレイの構造は図１に示されるようであり、この液晶ディスプレイ１０は、上下のガラス板１２、１２’を具え、それは上下に平行に配置され、上ガラス板１２と下ガラス板１２の対向表面の間に順に液晶層１４、カラーフィルタ１６、及び半反射層１８が配置され、並びに上、下ガラス板１２、１２’の外表面がそれぞれ上偏光板２０及び下偏光板２０’で被覆され、半反射層１８のバックライト位置に更にバックライトモジュール２２が設けられている。バックライトモジュール２２を起動してバックライト光線を上偏光板２０を通し射出させる時は、即ち透過式表示である。バックライトモジュール２２をオフして入射光の反射を利用して表示を行なう時は、即ち反射式表示である。このような表示方式が即ち半反射式液晶ディスプレイの原理であり、現在広くカラー表示携帯電話のディスプレイパネルに応用されている。
【０００４】
前述の半反射層１８をカラーフィルタ１６の下方に設置する液晶ディスプレイ１０の構造は、携帯電話が待機状態の時には反射モードにあり、即ちバックライトモジュール２２は未起動であり、外界光線を半反射層１８を利用して反射するが、光線はカラーフィルタ１６を二度透過しなければならない。しかし、カラーフィルタ１６の透光率は有限であり、このため反射光線のエネルギー損失が高く、反射率が一般のモノクロの携帯電話ディスプレイより非常に低い。このため携帯電話のカラーディスプレイは待機時に暗く、表示効果が低い。カラーディスプレイの反射率を高めるための周知の技術は往々にしてカラーフィルタ１６の色選択度を低くしているが、これはその色飽和度を犠牲にすることになり、高反射率と高彩度の要求を共に達成することはできなかった。更に、待機状態下で、使用者は時間、電池容量等のデータだけを知りたい場合があるが、このような場合はディスプレイはモノクロ表示の反射モードであればよい。しかし周知の技術は表示効果が不良であるため、使用者は透過モードを起動してバックライトを起動して輝度を増さねばならないことがよくあり、電力を消耗し電池の使用時間を短縮するのみならず、直接肉眼で明らかに画面を閲覧しにくいため、使用に不便である問題がある。
【発明の開示】
【発明が解決しようとする課題】
【０００５】
以上の周知の技術の欠点を鑑み、本発明は高反射率と高彩度のカラーの要求を共に達成するデュアル表示モードの液晶ディスプレイを提供するものである。
【０００６】
即ち、本発明の主要な目的は、一種のデュアル表示モードの液晶ディスプレイを提供することにあり、それは、カラーディスプレイの半反射層をカラーフィルタの上方に設け、反射モード下で、反射光がカラーフィルタを通過しないようにし、これによりカラーフィルタの色飽和度を下げない前提の下で、モノクロモードの高反射率と透過モードの高彩度のダブル効果を達成でき、有効に周知の技術における欠点を解決できるものとする。
【０００７】
本発明の別の目的は、一種のデュアル表示モードの液晶ディスプレイを提供することにあり、それは、待機状態にある時、反射モードを利用して明晰で且つ高彩度のグレーレベル表示を提供し、一般環境下ではっきりと表示画面を閲覧できるようにしてバックライトを起動する必要をなくし、これにより節電及び使用に便利な効果を達成するものとする。
【０００８】
本発明の更に別の目的は、一種のデュアル表示モードの液晶ディスプレイを提供することにあり、それは、カラーフィルタの上方と下方にそれぞれ半反射層を設け、且つ半反射層に複数のウインドウを開設し、光線を集中させて該ウインドウを透過するようにし、光線の総通過量を増し且つ光線のエネルギー損失を減らし、これにより透過モードの輝度を高めたものとする。
【０００９】
本発明によると、デュアル表示モードの液晶ディスプレイは上下の透明基板を具え、それは平行に離間配置され、この二つの透明基板の間に液晶層が設けられ、且つ液晶層と下透明基板の間に順に半反射層とカラーフィルタが設けられ、別に上、下透明基板の外表面に上、下偏光板が設けられている。
【００１０】
さらに、該上透明基板の下方に第１透明導電層が設けられ、該第１透明導電層の下方に第１配向層が設けられ、該第１配向層の下方は該液晶層とされ、該液晶層の下方に第２配向層が配置され、該第２配向層の下方に第２透明導電層が配置され、該第２透明導電層の下方に該カラーフィルタが配置され、該カラーフィルタの下方に該下透明基板が配置され、該半反射層は該第２透明導電層の上方或いは下方のいずれに配置されてもよい。
【００１１】
また、該半反射層が第２透明導電層の上方に配置される時、該半反射層は複数の第１開口を具備するものとされる。
【００１２】
また、該半反射層が該第２透明導電層の下方に配置される時、それは該カラーフィルタと該下透明基板の間に位置し、この半反射層は複数の第１開口を具え、且つ該カラーフィルタは該複数の第１開口と交錯するよう配置された複数のカラーブロック開口を具えたものとされる。
【課題を解決するための手段】
【００１３】
請求項１の発明は、反射モードと透過モードの表示を提供するデュアル表示モードの液晶ディスプレイにおいて、該液晶ディスプレイは、上、下透明基板と、半反射層と、カラーフィルタと、上、下偏光板と、バックライトモジュールと、を具え、
該上、下透明基板は、相互に平行に離間配置され、上、下透明基板の間に液晶層が設けられ、
該半反射層は、該液晶層と該下透明基板の間に設置され、
該カラーフィルタは、該半反射層と該下透明基板の間に配置され、
該上、下偏光板は、それぞれ該上、下透明基板の外表面に位置し、
該バックライトモジュールは、該カラーフィルタのバックライト位置に設けられたことを特徴とする、デュアル表示モードの液晶ディスプレイとしている。
請求項２の発明は、請求項１記載のデュアル表示モードの液晶ディスプレイにおいて、液晶層が第１透明導電層、液晶分子層、第２透明導電層を具えたことを特徴とする、デュアル表示モードの液晶ディスプレイとしている。
請求項３の発明は、請求項１記載のデュアル表示モードの液晶ディスプレイにおいて、透明基板がガラスとされたことを特徴とする、デュアル表示モードの液晶ディスプレイとしている。
請求項４の発明は、請求項１記載のデュアル表示モードの液晶ディスプレイにおいて、個別の表示カラーブロックを駆動する主動駆動素子を具えたことを特徴とする、デュアル表示モードの液晶ディスプレイとしている。
請求項５の発明は、請求項１記載のデュアル表示モードの液晶ディスプレイにおいて、液晶層に超ねじれネマティック（ＳＴＮ）、ねじれネマティック（ＴＮ）、或いはバイネマティック（ＢｉＮｅｍ）構造が採用されたことを特徴とする、デュアル表示モードの液晶ディスプレイとしている。
請求項６の発明は、請求項１記載のデュアル表示モードの液晶ディスプレイにおいて、半反射層の反射率が１５％から９５％の間とされたことを特徴とする、デュアル表示モードの液晶ディスプレイとしている。
請求項７の発明は、請求項１記載のデュアル表示モードの液晶ディスプレイにおいて、半反射層に更に複数の第１オープンウインドウが開設されたことを特徴とする、デュアル表示モードの液晶ディスプレイとしている。
請求項８の発明は、請求項７記載のデュアル表示モードの液晶ディスプレイにおいて、カラーフィルタの下方に反射層が設けられ、且つ該反射層に第１オープンウインドウに対応する第２オープンウインドウが開設されたことを特徴とする、デュアル表示モードの液晶ディスプレイとしている。
請求項９の発明は、請求項１記載のデュアル表示モードの液晶ディスプレイにおいて、反射モードはグレーレベル表示を提供し、透過モードはカラー表示を提供することを特徴とする、デュアル表示モードの液晶ディスプレイとしている。
請求項１０の発明は、請求項１記載のデュアル表示モードの液晶ディスプレイにおいて、二つの位相差補償片を具え、該位相差補償片は上、下偏光板と二つの透明基板の間にそれぞれ設置されたことを特徴とする、デュアル表示モードの液晶ディスプレイとしている。
請求項１１の発明は、請求項２記載のデュアル表示モードの液晶ディスプレイにおいて、第１配向層と第２配向層を更に具え、該第１配向層が第１透明導電層と液晶層の間に位置し、第２配向層が第２透明導電層と液晶層の間に位置することを特徴とする、デュアル表示モードの液晶ディスプレイとしている。
請求項１２の発明は、請求項２記載のデュアル表示モードの液晶ディスプレイにおいて、第２透明導電層とカラーフィルタの間に位置する被覆層を具えたことを特徴とする、デュアル表示モードの液晶ディスプレイとしている。
請求項１３の発明は、請求項１１記載のデュアル表示モードの液晶ディスプレイにおいて、半反射層が第２配向層と第２透明導電層の間に位置することを特徴とする、デュアル表示モードの液晶ディスプレイとしている。
請求項１４の発明は、請求項１２記載のデュアル表示モードの液晶ディスプレイにおいて、半反射層が被覆層と第２透明導電層の間に位置することを特徴とする、デュアル表示モードの液晶ディスプレイとしている。
請求項１５の発明は、請求項７記載のデュアル表示モードの液晶ディスプレイにおいて、複数の第１オープンウインドウを具えた半反射層が第２透明導電層と第２配向層の間に位置することを特徴とする、デュアル表示モードの液晶ディスプレイとしている。
請求項１６の発明は、請求項７記載のデュアル表示モードの液晶ディスプレイにおいて、複数の第１オープンウインドウを具えた半反射層が第２透明導電層と被覆層の間に位置することを特徴とする、デュアル表示モードの液晶ディスプレイとしている。
請求項１７の発明は、請求項７記載のデュアル表示モードの液晶ディスプレイにおいて、半反射層が多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）とされことを特徴とする、デュアル表示モードの液晶ディスプレイとしている。
請求項１８の発明は、請求項７記載のデュアル表示モードの液晶ディスプレイにおいて、複数の第１オープンウインドウを具えた半反射層がカラーフィルタと下透明基板の間に位置することを特徴とする、デュアル表示モードの液晶ディスプレイとしている。
請求項１９の発明は、請求項１８記載のデュアル表示モードの液晶ディスプレイにおいて、半反射層が多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）とされことを特徴とする、デュアル表示モードの液晶ディスプレイとしている。
請求項２０の発明は、請求項１８記載のデュアル表示モードの液晶ディスプレイにおいて、カラーフィルタが半反射層の複数の第１オープンウインドウと交錯するよう配置された複数のカラーブロック開口を具えたことを特徴とする、デュアル表示モードの液晶ディスプレイとしている。
請求項２１の発明は、反射モードと透過モードの表示を提供するデュアル表示モードの液晶ディスプレイにおいて、上、下透明基板と、半反射層と、カラーフィルタと、上、下偏光板と、バックライトモジュールとを具え、
該上、下透明基板は、相互に平行に離間配置され、上、下透明基板の間に液晶層が設けられ、
該半反射層は、該液晶層と該下透明基板の間に設置され、
該カラーフィルタは、該液晶層と該上透明基板の間に配置され、
該上、下偏光板は、それぞれ該上、下透明基板の外表面に位置し、
該バックライトモジュールは、該カラーフィルタのバックライト位置に設けられたことを特徴とする、デュアル表示モードの液晶ディスプレイとしている。
請求項２２の発明は、請求項２１記載のデュアル表示モードの液晶ディスプレイにおいて、半反射層が複数の第１開口を具えたことを特徴とする、デュアル表示モードの液晶ディスプレイとしている。
請求項２３の発明は、請求項２１記載のデュアル表示モードの液晶ディスプレイにおいて、カラーフィルタが複数のカラーブロック開口を具え、該カラーブロック開口は半反射層の第１開口に対応し並びにそれと交錯するように配置されたことを特徴とする、デュアル表示モードの液晶ディスプレイとしている。
請求項２４の発明は、請求項２１記載のデュアル表示モードの液晶ディスプレイにおいて、透明基板がガラスとされたことを特徴とする、デュアル表示モードの液晶ディスプレイとしている。
請求項２５の発明は、請求項２１記載のデュアル表示モードの液晶ディスプレイにおいて、液晶層に超ねじれネマティック（ＳＴＮ）、ねじれネマティック（ＴＮ）、或いはバイネマティック（ＢｉＮｅｍ）構造が採用されたことを特徴とする、デュアル表示モードの液晶ディスプレイとしている。
請求項２６の発明は、請求項２１記載のデュアル表示モードの液晶ディスプレイにおいて、半反射層の反射率が１５％から９５％の間とされたことを特徴とする、デュアル表示モードの液晶ディスプレイとしている。
請求項２７の発明は、請求項２１記載のデュアル表示モードの液晶ディスプレイにおいて、反射モードはグレーレベル表示を提供し、透過モードはカラー表示を提供することを特徴とする、デュアル表示モードの液晶ディスプレイとしている。
【発明の効果】
【００１４】
本発明は反射モードと透過モード表示を行なうカラー液晶ディスプレイにおいて半反射層をカラーフィルタの上方に設けて反射モード表示を利用する時、反射光がカラーフィルタを通過しないようにし、これにより光量損失を減らし、明晰なグレーレベル表示画面を提供することができる。
【発明を実施するための最良の形態】
【００１５】
図２は本発明のデュアル表示モードの液晶ディスプレイの構造表示図である。図示されるように、液晶ディスプレイ３０は、上、下透明基板３２、３２’を具え、それは相互に平行に離間設置され、この二つの透明基板３２、３２’は通常はガラスで形成され、上、下透明基板３２、３２’の二つの対向表面の間に順に液晶層３４、半反射層３６、及びカラーフィルタ３８が設けられている。液晶層３４は液晶分子が電場駆動を受けて発生する転向を利用して光線を通過させる時に画像を表示する。半反射層３６の反射率は１５％から９５％の間とされて、入射光を反射すると共にバックライト光線を透過させる。カラーフィルタ３８は基本的に複数の赤緑青の三原色の小ブロックが配列されてなり、不要な波長を吸収することで必要なカラーを発生する。別に上、下偏光板４０、４０’が上、下透明基板３２、３２’の外表面に設けられ、光線が上、下偏光板４０、４０’を通過した後に分極される。カラーフィルタ３８のバックライト位置にあって下偏光板４０’の下方にバックライトモジュール４２が設けられてバックライトを提供する。そのうち偏光板４０、４０’は通常偏光板及び必要な位相差補償片のアセンブリとされ、そのうち、第１位相差補償片３００は上透明基板３２と該上偏光板４０の間に位置し、第２位相差補償片３００’は下透明基板３２’と下偏光板４０’の間に位置し、これは周知の技術の標準の方法であるため詳細な説明は行なわない。
【００１６】
また、液晶層３４には超ねじれネマティック（Ｓｕｐｅｒ  Ｔｗｉｓｔｅｄ  Ｍｅｍａｔｉｃ；ＳＴＮ）構造、ねじれネマティック（ＴＮ）、或いはバイネマティック（ＢｉＮｅｍ）の液晶構造のものが採用され、その構造は通常相互に平行配置された第１透明導電層３１と第２透明導電層３１’を具え、それは上、下透明基板３２、３２’の内表面と対向し、透明導電層の導電物質に常用されるものは、酸化インジウム錫（ＩＴＯ）とされる。第１、第２透明導電層３１、３１’の対向する二表面に更に第１配向層３３と第２配向層３３’が設けられ、配向層には通常ポリイミド（ＰＩ）がコーティングされ、且つ液晶分子層が上述の二つの配向層の間に挟まれ、二つの透明導電層３１、３１’が透明電極とされて液晶分子を駆動して配列方向の変化を発生させる。透明導電層と配向層は周知の技術であるため、詳しい説明は省略する。
【００１７】
また、上透明基板３２の下方或いは下透明基板３２’の上方に更に個別の表示カラーブロックを駆動する主動駆動素子３２０’を設置可能であり、常用されるものは薄膜トランジスタ（ＴＦＴ）素子である。
【００１８】
本発明の構造を明確にご理解いただいたところで、以下にデュアル表示モードの液晶ディスプレイ３０の反射モード及び透過モード下での作用について詳細に説明する。反射モード下では、外界光線が入射し上偏光板４０を通過して分極された後、分極された光線が更に上透明基板３２及び液晶層３４を通過し、液晶分子のねじれを通して偏光状態が改変された後（偏光状態は一般に円偏振状態に設計される）、光線は半反射層３６に到達し、この時、一部の光線は半反射層３６により反射され、反射光は同様に液晶層３４、上透明基板３２を通過し、最後に上偏光板４０の偏光作用を受けた後に一部の光線が通過する。そのうち、透明電極が発生する電圧により液晶分子の配列方向が改変され、液晶層３４を通過する分極光線の偏光状態が改変され、異なった偏光状態が光線強度の違いを形成し、明暗の表示機能の制御が達成される。これにより、液晶ディスプレイ３０は反射モード下で、外界光線の反射を利用してグレーレベル画像を表示し、バックライトモジュール４２の起動が不要であり、これにより電気エネルギー節約と電池の待機時間を延長する長所を具備する。また、本発明の半反射層３６はカラーフィルタ３８の上に設置され、これにより反射モード下で、反射光がカラーフィルタ３８を通過せず、ゆえにカラーフィルタ３８に吸収されることがなく、高反射率の効果を達成する。
【００１９】
一方、透過モードを使用する時は、先ずバックライトモジュール４２のバックライトが照射され下偏光板４０’を通過する時に分極され、偏光状態は一般に円偏振状態に設計され、分極された光線が更に下透明基板３２’及びカラーフィルタ３８を通過し、カラーフィルタ３８の赤、青、緑の三つの画素の作用により、分極された光線がカラーフィルタ３８のカラーブロックに吸収されて各種の異なる色の画素を表示し、その後、一部の光線が更に半反射層３６と液晶層３４を通過し、透過光が液晶分子配向の影響を受けて異なる偏振状態を発生した後、更に上透明基板３２と上偏光板４０を透過し、最後に透過光が肉眼で観ることのできる各種カラー画像と図形を表示する。
【００２０】
これにより、本発明はカラーフィルタの色飽和度を下げない前提下で、高反射率と高彩度の要求を共に達成する。待機時に反射モードを利用することで本発明は明晰で高輝度のグレーレベル表示を提供し、一般環境下で明晰な表示画面を閲覧できるようにし、バックライトの起動を不要とし、これにより節電と使用に便利な長所を達成する。透過モード下ではバックライトモジュールの提供するバックライトを組み合わせれば、高彩度のカラー表示を提供でき、完全に周知の技術における反射モードでの色飽和度の低下の問題がない。
【００２１】
図３は本発明の別の実施例の局部構造表示図である。この液晶ディスプレイ１０の構造は図２に示される構造と類似しているが、異なるところは、反射鏡面オープンウインドウの方式を使用して半反射層３６を実現し、カラーフィルタ３８の上方に半反射層３６が設置されているほか、カラーフィルタ３８の下方に更にもう一つの類似の半反射層３６’が設置され、且つこの下方の半反射層３６’の反射面はバックライトモジュール４２に向けられ、上、下半反射層３６、３６’の反射面にそれぞれ複数の相互に対応する第１、第２オープンウインドウ４４、４４’が開設され、これによりバックライトモジュール４２の光線が直接第１オープンウインドウ４４と第２オープンウインドウ４４’を透過するか、或いは半反射層３６’とバックライトモジュール４２の間で不断に反射（回収）された後に更にオープンウインドウ４４を透過し、光線がカラーフィルタ３８を通過する面積を減らし且つ光線に半反射層３６、３６’を透過させず、光線の総通過量を増すのみならず、光線が半反射層３６、３６’を透過する時の一部のエネルギー損失を減らし、これにより透過モードの輝度を高める効果を達成する。
【００２２】
更に、図４は本発明の半反射層の別の実施例を示す。図２も参照されたい。上透明基板３２の下方には、第１透明導電層３１が配置され、該第１透明導電層３１の下方に第１配向層３３が配置され、該第１配向層３３の下方に液晶層３４が配置され、該液晶層３４の下方に第２配向層３３’が配置され、該第２配向層３３’の下方に第２透明導電層３１’が配置され、該第２透明導電層３１’の下方に被覆層３５が配置され、該被覆層３５の下方にカラーフィルタ３８が配置され、該カラーフィルタ３８の下方に下透明基板３２’が配置され、該半反射層３６は第２透明導電層３１’と該被覆層３５の間に配置され、本発明の別の実施例の該半反射層３６は該第２透明導電層３１’と該第２配向層３３’の間に配置される。
【００２３】
また、図５は本発明の半反射層形状の別の実施例を示し、該半反射層３６は第２透明導電層３１’と第２配向層３３’の間に配置されるか、或いは第２透明導電層３１’と該被覆層３５の間に配置され（図６参照）、該半反射層３６は複数の第１開口４４を具え、且つ該半反射層３６は多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）の全反射ブロックとされる。且つ該半反射層３６の平面図は図８或いは図９に示されるようである。また、図７は本発明の半反射層３６の別の実施例を示す。その半反射層３６はカラーフィルタ３８と下透明基板３２’の間に配置され、該半反射層３６は複数の第１開口４４を具え、カラーフィルタ３８は複数のカラーブロック開口３８０を具え、且つ該複数のカラーブロック開口３８０は複数の第１開口４４と交錯するよう配列され、且つ半反射層３６は多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）の全反射ブロックとされる。
【００２４】
最後に、図１０は本発明の別の実施例を示す。本発明のデュアル表示モードの液晶ディスプレイは、反射モードと透過モードの表示を提供し、該液晶ディスプレイは上、下透明基板３２、３２’、半反射層３６、カラーフィルタ３８、上、下偏光板４０、４０’、及びバックライトモジュール４２を具えている。
【００２５】
そのうち、該上、下透明基板３２、３２’は相互に平行に離間配置され、二つの透明基板３２、３２’の間に液晶層３４が配置され、該半反射層３６は該液晶層３４と下透明基板３２’の間に配置され、カラーフィルタ３８は該液晶層３４と該上透明基板３２の間に配置され、上、下偏光板４０、４０’は上、下透明基板３２、３２’の外表面に配置され、該バックライトモジュール４２はカラーフィルタ３８のバックライト位置に配置されている。
【００２６】
更に、該半反射層３６は複数の第１開口４４を具え、該カラーフィルタ３８は該複数の第１開口４４に対応しそれと交錯するよう配置された複数のカラーブロック開口３８０を具え、且つ該半反射層３６は多層膜誘電体反射層（Ｍｕｌｔｉｌａｙｅｒ  ｄｉｅｌｅｃｔｒｉｃ  ｒｅｆｌｅｃｔｏｒ）或いは金属薄膜反射層（Ｔｈｉｎ  ｆｉｌｍ  ｍｅｔａｌ  ｒｅｆｌｅｃｔｏｒ）の全反射ブロックとされる。
【００２７】
以上の実施例は本発明の特徴を説明するためのもので、その目的は本発明の属する技術の分野における通常の知識を有する者がその内容により本発明を実施できるようにすることにあり、本発明の請求範囲を限定するためのものではない。ゆえに、本発明に提示の精神に基づき完成されて同等の効果を達成しうる修飾或いは改変は、いずれも本発明の請求範囲に属するものとする。
【図面の簡単な説明】
【００２８】
【図１】周知の半反射式液晶ディスプレイの構造表示図である。
【図２】本発明のデュアル表示モードの液晶ディスプレイの構造表示図である。
【図３】本発明の別の実施例の局部構造表示図である。
【図４】本発明の別の実施例の半反射層配置の構造表示図である。
【図５】本発明の別の実施例の半反射層配置の構造表示図である。
【図６】本発明の別の実施例の半反射層配置の構造表示図である。
【図７】本発明の別の実施例の半反射層配置の構造表示図である。
【図８】本発明の別の実施例の半反射層の構造表示図である。
【図９】本発明の別の実施例の半反射層の構造表示図である。
【図１０】本発明の別の実施例の構造表示図である。
【符号の説明】
【００２９】
１０  液晶ディスプレイ                    １２  ガラス板
１２’  ガラス板                          １４  液晶層
１６  カラーフィルタ                      １８  半反射層
２０  偏光板                              ２０’  偏光板
２２  バックライトモジュール              ３０  液晶ディスプレイ
３１  第１透明導電層                      ３１’  第２透明導電層
３２  透明基板                            ３２’  透明基板
３３  第１配向層                          ３３’  第２配向層
３４  液晶層                              ３５  被覆層
３６、３６’  半反射層                    ３８  カラーフィルタ
３８０  カラーブロック開口                ３００  第１位相差補償片
３００’  第２位相差補償片                ３２０’  主動駆動素子
４０  偏光板                              ４０’  偏光板
４２  バックライトモジュール              ４４  第１オープンウインドウ
４４’  第２オープンウインドウ
【図１】
2005092180.tif 000003
【図２】
2005092180.tif 000004
【図３】
2005092180.tif 000005
【図４】
2005092180.tif 000006
【図５】
2005092180.tif 000007
【図６】
2005092180.tif 000008
【図７】
2005092180.tif 000009
【図８】
2005092180.tif 000010
【図９】
2005092180.tif 000011
【図１０】
2005092180.tif 000012